(57)【特許請求の範囲】
【請求項１】
容器本体開口部に、容器本体の開口部とほぼ同じ外形を有し、開封用つまみと排湯口開口用のつまみを有する蓋材をシールしてなる食品用容器において、
前記蓋材は基材とこれを被覆する表面シートが接着剤層を介して積層され、前記基材と表面シートとの層間には離型剤の塗布された剥離領域と、該剥離領域内に配置された非剥離領域と、前記剥離領域に隣接して配置された他の非剥離領域とに区画され、
前記剥離領域内にある非剥離領域内には排湯口開口部形成用ハーフカットが、内面側となる前記基材から接着剤層に至る範囲で形成され、かつ前記剥離領域内にある排湯口開口用つまみの基部の一端から前記剥離領域と隣接する前記他の非剥離領域との境界線に沿って、外面側となる前記表面シートから接着剤層に至る、互いに外側に広がるように傾斜した形状の剥離用切目を多数設けてなる切目線を複数列設けたことを特徴とする排湯機能を有する即席麺容器用蓋材。
【発明の詳細な説明】
【０００１】
【発明の属する技術分野】
本発明は、焼きそば、スパゲティ、白米、赤飯など、喫食に際して注湯を行い、所定時間（即席食品を可食状態にする為の時間）経過した後、速やかに排湯する必要のあるインスタント食品の容器に係わり、より詳しくは、容器との密封性、排湯の際の安全性および迅速性、排湯口形成の際の容易性（易開封性）、そして易廃棄性を有するインスタント食品容器の蓋材、特に排湯機能を有する即席麺容器用蓋材に関するものである。
【０００２】
【従来の技術】
従来、焼きそば、スパゲティ、白米、赤飯など、喫食に際して注湯を行い、所定時間経過した後に、排湯作業を必要とするインスタント食品用のカップ容器としては、一般にポリスチレン系樹脂粒子にブタン、ペンタン等の揮発性発泡剤を含有させた発泡性樹脂粒子（ビーズ）を、加熱等により発泡させることで形成した発泡ビーズカップ容器本体に、シート成形により作製された外周に排湯口を有
【０００３】
【発明が解決しようとする課題】
しかしながら、従来のプラスチック樹脂製の蓋材は、前述のような発泡ビーズ等からなるカップ容器本体に単に被せただけのものが多く、該プラスチック樹脂製の蓋材外周のフランジ部に設けられた、係合用の突部を有する溝部により係合されているものがほとんどであり、密封性がないという問題点がある。
【０００４】
また、従来のプラスチック樹脂製の蓋材には相対する位置に切り込みにより数カ所ずつの排湯口形成用のツメ部が設けられており、該ツメ部を起立させることで排湯口が形成される。しかし、前記ツメ部はフランジの一部にしか形成することができない為、排湯口を数多く形成することができず、排湯の際の時間が多く必要となり、内容物により排湯口がふさがれるなどした場合には、さらに排湯に時間が多く必要となるという問題があった。また、排湯口を形成するためにツメ部を起立した際、該ツメ部が破損するなどカップ容器内に異物が混入するおそれもあった。
【０００５】
さらに、従来のプラスチック樹脂製の蓋材のほとんどがシート成形品であるため、輸送または保管の際に嵩張るとともに、インスタント食品用のカップ容器本体に被せた状態においても嵩張って見え、見映えが悪いという問題が生じている。
【０００６】
また、従来のプラスチック樹脂製の蓋材とカップ容器とは、単に蓋材外周のフランジ部に設けられた係合用の突部を有する溝部によってのみ係合されている為、湯の熱による変形や、油断していると排湯の際に内容物および湯の重量によりその係合がはずれ、内容物が飛び出たり、かつその際に手などを火傷したりするなどの場合があり、蓋材をしっかりと押さえた状態で排湯しなければならなかった。
【０００７】
また、従来のプラスチック樹脂製の蓋材のほとんどがシート成形品であるため、最近の環境問題に関連して廃棄処理の面でも問題となる可能性があった。
【０００８】
ところで、本発明の目的は、焼きそば、スパゲティなど、喫食に際して注湯を行い、所定時間経過した後に、排湯作業を必要とするインスタント食品用の容器の蓋材において、容器との密封性、排湯の際の安全性および迅速性、排湯口形成の際の容易性（易開封性）、そして易廃棄性を有するインスタント食品容器の蓋材、特に排湯機能を有する即席麺容器用蓋材を提供することにある。
【０００９】
【課題を解決するための手段】
本発明の排湯機能を有する即席麺容器用蓋材は、容器本体開口部に、容器本体の開口部とほぼ同じ外形を有し、開封用つまみと排湯口開口用のつまみを有する蓋材をシールしてなる食品用容器において、該蓋材は基材とこれを被覆する表面シートが接着剤層を介して積層され、前記基材と表面シートとの層間には離型剤の塗布された剥離領域と、該剥離領域内に配置された非剥離領域と、前記剥離領域に隣接して配置された他の非剥離領域とに区画され、前記剥離領域内にある非剥離領域内には排湯口開口部形成用ハーフカットが、内面側となる前記基材から接着剤層に至る範囲で形成され、かつ前記剥離領域内にある排湯口開口用つまみの首部の一端から前記剥離領域と隣接する他の非剥離領域との境界線に沿って、外面側となる前記表面シートから接着剤層に至る、互いに外側に広がるように傾斜した形状の剥離用切目を多数設けてなる切目線を複数列設けた排湯機能を有する即席麺容器用蓋材である。
【００１０】
【作用】
本発明の排湯機能を有する即席麺容器用蓋材においては、紙などを主体とする積層体にて形成されている為、輸送または保管の際に嵩張ることがなく、カップ容器本体にヒートシールするなどして密封性を持たせることが可能であり、排湯の際に内容物の重量により内容物が飛び出すおそれがなく、蓋材を押さえておく必要もない、コンパクトで見映えの良い、排湯機能を有する即席麺容器用蓋材を提供することができる。
【００１１】
また、本発明の排湯機能を有する即席麺容器用蓋材においては、基材裏面側に排湯口開口用のハーフカットを形成し、剥離領域と非剥離領域を設けたことにより、排湯口を数多く形成することができ、内容物により全ての排湯口がふさがれることがなく、迅速な排湯が可能である。かつ排湯口開口用ハーフカットにより破断された切断片は、非剥離領域となっており、表面シート裏面に接着された状態で剥離開口される為、カップ容器本体内に切断片などの異物が混入するおそれのない排湯機能を有する即席麺容器用蓋材を提供することができる。
【００１２】
さらに、本発明の排湯機能を有する即席麺容器用蓋材においては、紙などを主体とする積層体にて形成されている為、廃棄処理の面でも最近の環境問題に対応した排湯機能を有する即席麺容器用蓋材を提供することができる。
【００１３】
また、本発明の排湯機能を有する即席麺容器用蓋材においては、剥離領域と隣接する非剥離領域の境界線に沿って、互いに外側に広がる傾斜した形状で多数設けた、外面側となる前記表面シートから接着剤層に至る剥離用切目からなる切目線を複数列設けたことで、従来と比較して製造工程が複雑になることもなく、しかも剥離安定性が良好な即席麺容器用蓋材を提供することができる。
【００１４】
【発明の実施の形態】
以下実施例により本発明を詳細に説明する。
図１Ａは、本発明の実施例１における、排湯機能を有する即席麺容器用蓋材の平面図であって、図１Ｂはこの蓋材における剥離用切目からなる切目線の部分拡大図であって、図１Ｃはこの蓋材の裏面図である。図２は層間の剥離領域を示す説明図である。図３Ａは、本発明の排湯機能を有する即席麺容器用蓋材の断面図であって、図３Ｂは本発明の蓋材を使用した即席麺容器の部分断面図である。図４は使用状態を示す斜視図である。
【００１５】
すなわち、本発明の排湯機能を有する即席麺容器用蓋材１は、カップ容器本体１４の開口部１５に、容器本体１４の開口部１５とほぼ同じ外形を有し、開封用つまみ２と排湯口開口用のつまみ３を有する蓋材１をシールしてなる食品用容器において、該蓋材１は基材２０とこれを被覆する表面シート４０が接着剤層３０を介して一部剥離可能に積層され、図２に示すように、前記基材２０と表面シート４０との層間には離型剤１１の塗布された剥離領域Ａと、該剥離領域Ａ内に配置された非剥離領域Ｃと、前記剥離領域Ａに隣接して配置された他の非剥離領域Ｂとに区画され、図１Ｃに示すように、前記剥離領域Ａ内にある非剥離領域Ｃ内には排湯口開口部形成用ハーフカット４が、内面側となる前記基材２０から接着剤層３０に至る範囲で形成され、かつ図１Ａおよび図１Ｃに示すように、前記剥離領域Ａ内にある排湯口開口用つまみ３の首部の一端から前記剥離領域Ａと隣接する他の非剥離領域Ｂとの境界線に沿って、外面側となる前記表面シート４０から接着剤層３０に至る、互いに外側に広がるように傾斜した形状の剥離用切目５ａを多数設けてなる切目線５ｂを複数列設けた剥離用ハーフカット５が形成されるとともに、図１Ｃに示すように、前記排湯口開口用つまみ３の基部に、前記基材２０から接着剤層３０に至るつまみ部剥離用ハーフカット６を設けた、図１に示す排湯機能を有する即席麺容器用蓋材であって、表面に通常の印刷をした、通常の打抜型を用いた打抜工程で、直径が約１９０ｍｍの排湯機能を有する即席麺容器用蓋材を作製した。
【００１６】
ここで、基材シート２０としては、あらかじめ発泡スチロール、スチロール、ポリプロピレン等の樹脂を用いて成型されたカップ容器本体１４との剥離を容易にする、低温接着性を有するＥＶＯＨ（エチレン−酢酸ビニルアルコール）などのポリオレフィン系樹脂、またはヒートシールニスなどからなるシーラント剤１０をアルミニウム箔９に押し出しまたは塗布することによりラミネートすることにより作製したものを使用することができる。
【００１７】
また、表面シート４０としては、厚さが６０ｇ／ｍ2以上の紙７、具体的には厚さ８５ｇ／ｍ2のコート紙を使用することができ、グラビア印刷法にて表裏同一工程にて、表面側にインキによる印刷層１２を設けるとともに、裏面側にレシチンなどの可食性界面活性剤、消化綿系の接着剤にワックスまたはシリコンなどを混合したものからなる離型剤１１（０．２〜２０μｍ厚）を塗布することにより作製したものを、使用することができる。
【００１８】
さらに、接着剤層３０としては、印刷された前記紙７の前記離型剤１１を塗布した面との熱接着性に優れた接着剤、具体的にはポリエチレン、ＥＭＡ（エチレン−メタクリル酸）などを使用することができる。
【００１９】
剥離用ハーフカット５を形成する、切目線５ｂの剥離用切目５ａについて具体的に説明する。
剥離用切目５ａは、図１Ｂに基づいて説明すると、流れ方向に対して約２０度外側に斜めに拡がる形状の１対の構成で連続的に設けられ、１列の切目線５ｂが形成されており、実際には前述の剥離用切目線２３が２列以上設けた構成となっている。
ここで、切目線５ｂを形成する剥離用切目５ａは、前記形状でしかも左右対称の形状に設けるのが、切断がし易く、しかも隙間ができなく、切断部分に基材の切断端が残らずきれいに剥離することができる。この切目線５ｂは、２列以上の複数列設ければよいが、３列以上５列以下の範囲で設けるのが、剥離性、安定性の点から好ましい。
【００２０】
次に、本発明の排湯機能を有する即席麺容器用蓋材の使用方法について説明する。
まず、開封用つまみ２をつまんで蓋材１をカップ容器本体１４の開口部１５から対向する方向へ約１／３ほど剥がし、熱湯をカップ容器本体１４へ注入する。次いで、開封用つまみ２をカップ容器本体１４の外周端部に折り曲げて再封し、食品を可食状態にする為の所定時間経過した後、排湯口開口用つまみ３をつまんで剥離用ハーフカット５に沿って剥離領域Ａを剥離し、図４に示されるように排湯口１３を開口し、不要となった湯を排出するものである。
【００２１】
【実施例】
以下に本発明の実施例をさらに具体的に説明する。
＜実施例１＞
本発明の排湯機能を有する即席麺容器用蓋材１は、図３Ａに示すように、あらかじめカップ容器本体１４との剥離を容易にした低温接着性を有するＥＶＯＨからなるシーラント剤１０（２５μｍ厚）をアルミニウム箔９（９μｍ厚）に塗布することによって作製された基材２０に、巻取状の紙７（コート紙：８４．９ｇ／ｍ2）に、グラビア印刷法にて表裏同一工程で、表面側にインキによる印刷層１２を、裏面側に硝化綿系の接着剤にワックスを混合してなる離型剤１１を塗布することにより作製された表面シート４０を、印刷された紙７の離型剤１１の塗布面との熱接着性に優れたポリエチレン８（１５μｍ厚）からなる接着剤層によりエクストルーダーを用いてラミネートすることにより積層材を作製した。
【００２２】
続いて、このラミネートされた巻取状の積層材を枚葉状に大断ちした後、ハ−フカット加工を行い（巻取状にてハーフカット加工する場合もある。）、ハーフカット完了後、小断ち・抜き加工を経て本発明の食品容器の蓋材１を作製した。（ハーフカット加工時に同時に小断ち・抜き加工を行う場合もある。）
【００２３】
そして、この蓋材をあらかじめ成型されたカップ容器本体（発泡スチロール、スチロール、ポリプロピレン等からなる）にヒートシールなどにてシールすることにより、排湯機能を有する即席麺容器が完成する。
【００２４】
前述のハーフカット加工において、図１Ａ乃至図１Ｃに示すように、排湯口開口部形成用ハーフカット４として連続曲線状のハーフカットを、つまみ部剥離用ハーフカット６としては直線状のハーフカットを形成し、剥離用ハーフカット５としては、互いに外側に広がるように傾斜した形状の剥離用切目５ａを多数設けてなる、切目線５ｂを複数列形成した食品容器の蓋材を作製する。
【００２５】
【発明の効果】
以上、作用及び実施例に示すとおり、本発明の排湯機能を有する即席麺容器用蓋材においては、上記のように構成されるため、特に互いに外側に広がるように傾斜した形状の剥離用切目を多数設けてなる切目線を複数列設けた剥離用ハーフカットが形成されており、剥離の際、複数の剥離用切目がそれぞれ互いに外側に広がるように傾斜しているので、隣り合う複数の切目線それぞれの間を往来しながら破断する為、基材上に剥離可能にラミネートした表面シートの一部を確実にかつ容易に剥離用ハーフカットに沿って剥がすことができ、排湯口開口部形成用ハーフカットに沿って基材に形成した排湯口を容易に開口することが可能で、開口の際にカップ容器本体内に切断片などの異物が混入するおそれのない衛生的な排湯機能を有する即席麺容器用蓋材を提供することができる。
【００２６】
また、本発明の排湯機能を有する即席麺容器用蓋材においては、上記のように構成されるため、輸送または保管の際に嵩張ることがなく、可燃物として一般のゴミとともに廃棄処理することができ、生産効率にも優れた排湯機能を有する即席麺容器用蓋材を提供することができる。
【００２７】
加えて、本発明の排湯機能を有する即席麺容器用蓋材においては、上記のように構成された該蓋材をカップ容器本体にヒートシールするなどしてシールすることでインスタント食品用容器が作製される為、密封性を有し内容物保存性に優れ、かつ内容物であるインスタント食品を可食状態にした後、排湯を行う場合、内容物により数多く形成した全ての排湯口がふさがれることがなく、安全にかつ迅速に排湯を行うことができる、取り扱いが簡便な排湯機能を有する即席麺容器用蓋材を提供することができる。
【図面の簡単な説明】
【図１】本発明の実施例１における、図１Ａは排湯機能を有する即席麺容器用蓋材の平面図であり、図１Ｂはこの蓋材における剥離用切目からなる切目線の部分拡大図であり、図１Ｃはこの蓋材の裏面図である。
【図２】本発明の実施例１における、排湯機能を有する即席麺容器用蓋材の排湯口開口部形成用ハーフカット層間剥離領域部分拡大図である。
【図３】本発明の実施例１における、図３Ａは排湯機能を有する即席麺容器用蓋材の断面図であり、図３Ｂは排湯機能を有する即席麺容器用蓋材を使用した即席麺容器の部分断面図である。
【図４】本発明の実施例１における、排湯機能を有する即席麺容器用蓋材の使用状態を示す斜視図である。
【符号の説明】
１    …蓋材
２    …開封用つまみ
３    …排湯口開口用つまみ
４    …排湯口開口部形成用ハーフカット
５    …剥離用ハーフカット
５ａ  …剥離用切目
５ｂ  …切目線
６    …つまみ部剥離用ハーフカット
７    …紙
８    …ポリエチレン
９    …アルミニウム箔
１０    …シーラント剤
１１    …離型剤
１２    …印刷層
１３    …排湯口
１４    …カップ容器本体
１５    …開口部
１６    …切断片
２０    …基材
３０    …接着剤層
４０    …表面シート
Ａ    …剥離領域
Ｂ、Ｃ  …非剥離領域
【図１】
0004231912.tif 000002
【図２】
0004231912.tif 000003
【図３】
0004231912.tif 000004
【図４】
0004231912.tif 000005